(57)【要約】【課題】実施中の通信に関わる状況を、通信相手にいち早く知らせること。【解決手段】１つの態様において、電子機器（例えば、携帯電話１Ａ）は、第１の通信手段または第２の通信手段を用いて通信を行う通信部と、前記第１の通信手段による通信相手との通信が不能な状態である場合には、前記第２の通信手段を用いて、前記通信相手に対してメッセージを送信するコントローラとを有する。例えば、電子機器（例えば、携帯電話１Ａ）は、通信相手である携帯電話との間に確立されている近距離無線接続の切断を検知すると、基地局および公衆回線ネットワークを介した通信により、通信相手である携帯電話に対してメールを送信する。【選択図】図１
2014072756.tif 000002
【特許請求の範囲】
【請求項１】
第１の通信手段または第２の通信手段を用いて通信を行う通信部と、
前記第１の通信手段による通信相手との通信が不能な状態である場合には、前記第２の通信手段を用いて、前記通信相手に対してメッセージを送信するコントローラと
を有する電子機器。
【請求項２】
前記コントローラは、前記第１の通信手段として、近距離無線通信を用いて通信を行うように前記通信部を制御する請求項１に記載の電子機器。
【請求項３】
前記コントローラは、前記第２の通信手段として、公衆回線ネットワークを用いて通信を行うように前記通信部を制御する請求項１に記載の電子機器。
【請求項４】
前記コントローラは、前記第１の通信手段による通信相手との通信が不能である状態から可能である状態に復帰した場合に、前記通信相手に対してメッセージを送信する請求項１〜３のいずれか一つに記載の電子機器。
【請求項５】
前記コントローラは、前記第１の通信手段による通信相手との通信が、一定時間内に複数回不能な状態となる場合に、前記通信相手に対してメッセージを送信しない請求項１〜４のいずれか一つに記載の電子機器。
【請求項６】
前記コントローラは、前記第１の通信手段による通信相手との通信が不能である状態が一定時間継続される場合に、前記通信相手に対してメッセージを送信する請求項１〜３のいずれか一つに記載の電子機器。
【請求項７】
前記コントローラは、前記第１の通信手段による通信により前記通信相手に関する情報を受信し、受信した前記通信相手に関する情報を用いて前記第２の通信手段による通信を実行する請求項１〜６にいずれか一つに記載の電子機器。
【請求項８】
第１の通信手段または第２の通信手段を用いて通信を行う通信部を有する電子機器によって実行される制御方法であって、
前記第１の通信手段による通信相手との通信が不能な状態であるか否かを判定するステップと、
前記第１の通信手段による通信相手との通信が不能な状態であると判定した場合に、前記第２の通信手段を用いて、前記通信相手に対してメッセージを送信するステップと
を含む制御方法。
【請求項９】
第１の通信手段または第２の通信手段を用いて通信を行う通信部を有する電子機器に、
前記第１の通信手段による通信相手との通信が不能な状態であるか否かを判定するステップと、
前記第１の通信手段による通信相手との通信が不能な状態であると判定した場合に、前記第２の通信手段を用いて、前記通信相手に対してメッセージを送信するステップと
を実行させる制御プログラム。
【発明の詳細な説明】
【技術分野】
【０００１】
本出願は、電子機器、制御方法及び制御プログラムに関する。
【背景技術】
【０００２】
携帯電話やスマートフォンなどの電子機器には、Ｂｌｕｅｔｏｏｔｈ（登録商標）などの近距離無線による通信、及び公衆回線ネットワークを通じた通信を行うことができるものが存在する（特許文献１、特許文献２参照）。例えば、特許文献１には、Ｂｌｕｅｔｏｏｔｈ（登録商標）の通信圏内に通信相手の電話装置を検知した場合には、近距離通信による通話を行い、Ｂｌｕｅｔｏｏｔｈ（登録商標）の通信圏内に通信相手の電話装置を検知できない場合には、電話網を介した通話を行う装置が開示されている。
【先行技術文献】
【特許文献】
【０００３】
【特許文献１】特開２００８−１５３９７６号公報
【特許文献２】特開２０１０−２６３４３８号公報
【発明の概要】
【発明が解決しようとする課題】
【０００４】
ところで、例えば、近距離無線を用いた通信を行っている場合、何らかの理由によって近距離無線接続が切断されてしまう場合がある。このため、実施中の通信に関わる状況を、通信相手にいち早く知らせることができる電子機器、制御方法及び制御プログラムに対する必要性がある。
【課題を解決するための手段】
【０００５】
１つの態様に係る電子機器は、第１の通信手段または第２の通信手段を用いて通信を行う通信部と、前記第１の通信手段による通信相手との通信が不能な状態である場合には、前記第２の通信手段を用いて、前記通信相手に対してメッセージを送信するコントローラとを有する。
【０００６】
１つの態様に係る制御方法は、第１の通信手段または第２の通信手段を用いて通信を行う通信部を有する電子機器によって実行される制御方法であって、前記第１の通信手段による通信相手との通信が不能な状態であるか否かを判定するステップと、前記第１の通信手段による通信相手との通信が不能な状態であると判定した場合に、前記第２の通信手段を用いて、前記通信相手に対してメッセージを送信するステップとを含む。
【０００７】
１つの態様に係る制御プログラムは、第１の通信手段または第２の通信手段を用いて通信を行う通信部を有する電子機器に、前記第１の通信手段による通信相手との通信が不能な状態であるか否かを判定するステップと、前記第１の通信手段による通信相手との通信が不能な状態であると判定した場合に、前記第２の通信手段を用いて、前記通信相手に対してメッセージを送信するステップとを実行させる。
【図面の簡単な説明】
【０００８】
【図１】図１は、実施形態に係る携帯電話にて実行される制御方法の概要を示す図である。
【図２】図２は、実施形態１に係る携帯電話のブロック図である。
【図３】図３は、実施形態１に係る携帯電話による処理手順の一例を示す図である。
【図４】図４は、実施形態２に係る携帯電話による処理手順の一例を示す図である。
【図５】図５は、実施形態２に係る携帯電話による処理手順の他の例を示す図である。
【図６】図６は、実施形態３に係る携帯電話による処理手順の一例を示す図である。
【図７】図７は、実施形態４に係る処理手順の一例を示す図である。
【発明を実施するための形態】
【０００９】
本発明を実施するための実施形態を、図面を参照しつつ詳細に説明する。以下では、電子機器の例として、携帯電話について説明する。
【００１０】
（実施形態１）
図１を参照しながら、実施形態に係る制御方法の一例について説明する。図１は、実施形態に係る携帯電話にて実行される制御方法の概要を示す図である。図１に示す携帯電話１Ａおよび携帯電話１Ｂは、Ｂｌｕｅｔｏｏｔｈ（登録商標）などの近距離無線接続を通じて近距離無線通信を行うことができる。図１に示す携帯電話１Ａおよび携帯電話１Ｂは、基地局１００との無線通信を介して、公衆回線ネットワーク２００に接続され、公衆回線ネットワーク２００を通じた通信を行うことができる。
【００１１】
図１に示すように、携帯電話１Ａは、近距離無線通信可能エリア内にある携帯電話１Ｂとの間で、近距離無線接続を通じて近距離無線通信を行っている（ステップＳ１１）。そして、図１に示すように、携帯電話１Ａは、通信相手である携帯電話１Ｂとの間に確立されている近距離無線接続の切断を検知すると、基地局１００及び公衆回線ネットワーク２００を通じた通信により、通信相手である携帯電話１Ｂに対してメールを送信する（ステップＳ１２）。携帯電話１Ａが携帯電話１Ｂに送信するメールには、例えば、近距離無線接続が切断された旨が含まれる。
【００１２】
携帯電話１Ａは、第１の通信手段による通信相手との通信が不能な状態である場合には、第２の通信手段を用いて、通信相手に対してメッセージを送信する。すなわち、図１に示すように、携帯電話１Ａは、携帯電話１Ｂとの近距離無線接続が切断され、携帯電話１Ｂとの近距離無線通信が不能な状態である場合には、基地局１００及び公衆回線ネットワーク２００を通じた通信により、携帯電話１Ｂに対してメールを送信する。これにより、携帯電話１Ａは、実施中の通信に関わる状況を、携帯電話１Ｂに対していち早く知らせることができる。また、近距離無線通信が不能な状態であるとは、例えば、携帯電話１Ａと携帯電話１Ｂとの距離が離れているか若しくは携帯電話１Ａ及び携帯電話１Ｂの少なくともいずれかが電波が干渉するエリアにいるかによって一方の送信する電波を他方で受信できないような状態や、通信の輻輳状態や、携帯電話１Ａか携帯電話１Ｂの少なくともいずれかの近距離無線通信の機能がオフになっている状態等も指す。
【００１３】
図２を参照しながら、実施形態１に係る携帯電話の機能的な構成について説明する。図１に示す携帯電話１Ａと携帯電話１Ｂは、同一の構成を有するので、図２には携帯電話１Ａの機能的な構成の一例を示す。図２は、実施形態１に係る携帯電話のブロック図である。図２に示すように、携帯電話１Ａは、ディスプレイ２と、ボタン３と、照度センサ４と、近接センサ５と、通信ユニット６ａと、通信ユニット６ｂと、レシーバ７と、マイク８と、ストレージ９と、コントローラ１０と、スピーカ１１と、カメラ１２と、姿勢検出ユニット１５と、バイブレータ１８と、タッチスクリーン２１とを備える。
【００１４】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１５】
ボタン３は、利用者からの操作入力を受け付ける。ボタン３の数は、単数であっても、複数であってもよい。
【００１６】
照度センサ４は、携帯電話１Ａの周囲光の照度を検出する。照度は、光の強さ、明るさ、又は輝度を示す。照度センサ４は、例えば、ディスプレイ２の輝度の調整に用いられる。
【００１７】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００１８】
通信ユニット６ａは、公衆回線ネットワークなどのネットワークを通じて、データの送受信、通話などの通信を行うことができるように構成されている。通信ユニット６ａがサポートする通信規格には、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信ユニット６ａは、上述した通信規格の１つ又は複数をサポートしていてもよい。
【００１９】
通信ユニット６ｂは、近距離無線通信を通じて、データの送受信、通話などの通信を行うことができるように構成されている。通信ユニット６ｂがサポートする近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮには、例えば、ＺｉｇＢｅｅ（登録商標）が含まれる。通信ユニット６ｂは、上述した通信規格の１つ又は複数をサポートしていてもよい。
【００２０】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００２１】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２２】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２３】
ストレージ９は、例えば、制御プログラム９Ａ、通話アプリケーション９Ｂ、メールアプリケーション９Ｃ、音楽再生アプリケーション９Ｄ、動画再生アプリケーション９Ｅ、及び設定データ９Ｚを記憶する。通話アプリケーション９Ｂは、無線通信による通話のための通話機能を提供する。メールアプリケーション９Ｃは、電子メールの作成、送信、受信、及び表示等のための電子メール機能を提供する。音楽再生アプリケーション９Ｄは、音楽データから音を再生するための音楽再生機能を提供する。動画再生アプリケーション９Ｅは、動画データから動画及び音を再生するための動画再生機能を提供する。設定データ９Ｚは、携帯電話１Ａの動作に関連する各種の設定及び処理に関する情報を含む。例えば、設定データ９Ｚには、通信相手の携帯電話に割り当てられているメールアドレス、及び電話番号などの情報が含まれる。
【００２４】
制御プログラム９Ａは、携帯電話１Ａを稼働させるための各種制御に関する機能を提供する。例えば、制御プログラム９Ａは、通信ユニット６ａ等を制御することによって、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を用いた通信を実現させるための機能を提供する。例えば、制御プログラム９Ａは、通信ユニット６ｂ等を制御することによって、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離無線通信を実現させるための機能を提供する。例えば、制御プログラム９Ａは、例えば、通信ユニット６ａ及びマイク８等を制御することによって、通話を実現させるための機能を提供する。制御プログラム９Ａにより提供される機能は、通話を実現させる場合、通話アプリケーション９Ｂ及びメールアプリケーション９Ｃ等の他のプログラムが提供する機能と組み合わせて利用されることがある。
【００２５】
さらに、制御プログラム９Ａは、第１の通信手段による通信相手との通信が不能な状態である場合には、第２の通信手段を用いて、通信相手に対してメッセージを送信する機能を提供する。例えば、制御プログラム９Ａは、通信相手である携帯電話との間に確立されている近距離無線接続の切断を検知すると、基地局を介した通信により、通信相手である携帯電話に対してメールを送信する機能を提供する。
【００２６】
さらに、制御プログラム９Ａには、例えば、通信相手である携帯電話との間に確立されている近距離無線接続の切断を検知すると、メール受信および着信などに応じた通知とは異なる態様で、ユーザに対する報知を行う。
【００２７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１Ａの動作を統括的に制御して各種の機能を実現する。
【００２８】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２、通信ユニット６、レシーバ７、マイク８、スピーカ１１、バイブレータ１８を含むが、これらに限定されない。コントローラ１０は、検出部の検出結果に応じて、制御を変更することがある。検出部は、例えば、ボタン３、照度センサ４、近接センサ５、カメラ１２、姿勢検出ユニット１５、及びタッチスクリーン２１を含むが、これらに限定されない。
【００２９】
コントローラ１０は、例えば、制御プログラム９Ａを実行することにより、第１の通信手段による通信相手との通信が不能な状態である場合には、第２の通信手段を用いて、通信相手に対してメッセージを送信する処理を実現する。例えば、コントローラ１０は、通信相手である携帯電話との間に確立されている近距離無線接続の切断を検知すると、基地局を介した通信により、通信相手である携帯電話に対してメールを送信する処理を実現する。コントローラ１０は、例えば、近距離無線接続の切断時に、通信ユニット６から送出される信号に基づいて、近距離無線接続の切断を検知する。通信相手の携帯電話に対して送信されるメールは、通信相手の携帯電話の電話番号を宛先とするショートメールでもよいし、通信内相手の携帯電話に割り当てられたメールアドレスを宛先とする電子メールでもよい。通信相手の携帯電話に対して送信されるメールには、例えば、近距離無線通信の接続が切断された旨が含まれていてよい。
【００３０】
さらに、コントローラ１０は、例えば、制御プログラム９Ａを実行することにより、通信相手の携帯電話との間に確立されている近距離無線接続が切断された旨を、メール受信および着信などに応じた通知とは異なる態様で、ユーザに報知する処理を実現する。例えば、コントローラ１０は、メール受信および着信などに応じた通知とは異なる音を、スピーカ１１から出力する。あるいは、コントローラ１０は、メール受信および着信などに応じた通知とは異なるパターンで、バイブレータ１８を振動させる。
【００３１】
本出願において、コントローラ１０がプログラム（又は、アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００３２】
図２においてストレージ９が記憶するプログラム及びデータの一部又は全部は、通信ユニット６による無線通信で他の装置からダウンロードされてもよい。図２においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００３３】
スピーカ１１は、音出力部である。スピーカ１１は、コントローラ１０から送信される音信号を音として出力する。スピーカ１１は、例えば、アラーム音、ポップアップ表示音、着信音、メール受信音、及び音楽を出力するために用いられる。レシーバ７及びスピーカ１１の一方が、他方の機能を兼ねてもよい。
【００３４】
カメラ１２は、撮影した画像を電気信号へ変換する。カメラ１２には、例えば、ディスプレイ２に面している物体を撮影するインカメラ、ディスプレイ２の反対側の面に面している物体を撮影するアウトカメラが含まれる。
【００３５】
姿勢検出ユニット１５は、携帯電話１Ａの姿勢を検出する。姿勢検出ユニット１５は、姿勢を検出するために、加速度センサ、方位センサ、及びジャイロスコープの少なくとも１つを備える。
【００３６】
バイブレータ１８は、携帯電話１Ａの一部又は全体を振動させる。バイブレータ１８は、振動を発生させるために、例えば、圧電素子、又は偏心モータなどを有する。バイブレータ１８による振動は、着信等の各種のイベントをユーザに報知するために用いられる。
【００３７】
タッチスクリーン２１は、タッチスクリーン２１に対する接触を検出する。コントローラ１０（携帯電話１Ａ）は、タッチスクリーン２１によって検出される接触に基づいて、指、スタイラス、ペン等（以下、単に「指」という）を用いてタッチスクリーン２１に対して行われる各種操作（ジェスチャ）を検出する。例えば、タッチスクリーン２１は、タッチセンサを有する。タッチセンサは、タッチスクリーン２１への指の接触を、接触された場所のタッチスクリーン２１上での位置とともに検出し、コントローラ１０に通知する。コントローラ１０が、タッチスクリーン２１を介して検出する各種操作（ジェスチャ）には、例えば、タッチ、ロングタッチ、リリース、スワイプ、タップ、ダブルタップ、ロングタップ、ドラッグ、フリック、ピンチイン、及びピンチアウトが含まれるがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。図２に示すように、ディスプレイ２と、タッチスクリーン２１とは機能的には分離したものであるが、物理的にはタッチスクリーンディスプレイとして統合されていてよい。
【００３８】
図２に示した携帯電話１Ａの機能的な構成は例であり、本発明の要旨を損なわない範囲において適宜変更してよい。例えば、携帯電話１Ａは、ストレージ９に、音楽再生アプリケーション９Ｃ、及び動画再生アプリケーション９Ｄを記憶しなくてもよい。例えば、携帯電話１Ａは、姿勢検出ユニット１５及びタッチスクリーン２１を備えなくてもよい。
【００３９】
図３を参照して、携帯電話１Ａによる処理手順の一例を説明する。図３は、実施形態１に係る携帯電話による処理手順の一例を示す図である。図３に示す処理手順は、コントローラ１０が、ストレージ９に記憶されている制御プログラム９Ａなどを実行することによって実現される。図３に示す処理手順は、携帯電話１Ａが近距離無線通信を開始した後、繰り返し実行される。図３に示す処理手順は、携帯電話１Ａと携帯電話１Ｂとの間で近距離無線通信が行われているときの処理手順の一例を示している。
【００４０】
図３に示すように、コントローラ１０は、ステップＳ１０１として、携帯電話１Ｂとの近距離無線接続の切断を検知したかどうかを判定する。コントローラ１０は、判定の結果、近距離無線接続の切断が検知されていない場合には（ステップＳ１０１、Ｎｏ）、図３に示す処理手順を終了する。
【００４１】
一方、コントローラ１０は、判定の結果、近距離無線接続の切断が検知された場合には（ステップＳ１０１、Ｙｅｓ）、ステップＳ１０２として、携帯電話１Ｂとの近距離無線接続が切断された旨をユーザに報知する。続いて、コントローラ１０は、ステップＳ１０３として、近距離無線接続が切断された旨のメールを、基地局１００および公衆回線ネットワーク２００を通じて携帯電話１Ｂに送信し、図３に示す処理手順を終了する。
【００４２】
実施形態１では、携帯電話１Ａが、通信相手である携帯電話１Ｂとの間に確立されている近距離無線接続の切断を検知すると、基地局１００を介した通信により、通信相手である携帯電話１Ｂに対してメールを送信する。このため、実施形態１によれば、実施中の通信に関わる状況を、通信相手にいち早く知らせることができる。
【００４３】
（実施形態２）
上記の実施形態１では、携帯電話１Ａが、通信相手である携帯電話１Ｂとの間に確立されている近距離無線接続の切断を検知すると、通信相手に対してメールを送信する例を説明した。しかしながら、これには限定されず、例えば、通信が不能な状態から可能な状態に復帰した場合に、通信相手に対してメールを送信してもよい。ここで、通信が不能な状態から可能な状態に復帰した場合とは、例えば、近距離無線接続が切断された後、再度、近距離無線接続が行われた場合だけでなく、近距離無線接続が開始された場合や、近距離無線接続が開始される前に一方の送信する電波を他方が受信できるような状態になった場合等も含んでもよい。
【００４４】
制御プログラム９Ａは、通信ユニット６等を制御することによって、近距離無線接続の切断が検知された後、近距離無線接続されていた携帯電話１Ｂを探索し、近距離無線接続を復旧させるための機能を提供する。制御プログラム９Ａは、近距離無線通信による携帯電話１Ｂとの通信が不能である状態から可能である状態に復帰した場合に、携帯電話１Ｂに対してメールを送信する機能を提供する。
【００４５】
制御プログラム９Ａは、近距離無線接続が復旧した旨をユーザに報知するための機能を提供する。
【００４６】
コントローラ１０は、制御プログラム９Ａを実行することにより、近距離無線接続の切断が検知された後、近距離無線接続されていた携帯電話１Ｂを探索し、近距離無線接続を復旧させる処理を実現する。コントローラ１０は、制御プログラム９Ａを実行することにより、近距離無線通信による携帯電話１Ｂとの通信が不能である状態から可能である状態に復帰した場合に、携帯電話１Ｂに対してメールを送信する機能を提供する。
【００４７】
コントローラ１０は、制御プログラム９Ａを実行することにより、近距離無線接続が復旧した旨をユーザに報知する処理を実現する。
【００４８】
図４は、実施形態２に係る携帯電話による処理手順の一例を示す図である。図４に示す処理手順は、コントローラ１０が、ストレージ９に記憶されている制御プログラム９Ａなどを実行することによって実現される。図４に示す処理手順は、携帯電話１Ａが近距離無線通信を開始した後、繰り返し実行される。図４に示す処理手順は、携帯電話１Ａと携帯電話１Ｂとの間で近距離無線通信が行われているときの処理手順の一例を示している。図４に示す処理手順は、ステップＳ２０４〜ステップＳ２０８の処理が、図３に示す処理手順とは異なる。
【００４９】
図４に示すように、コントローラ１０は、ステップＳ２０１として、携帯電話１Ｂとの近距離無線接続の切断を検知したかどうかを判定する。コントローラ１０は、判定の結果、近距離無線接続の切断が検知されていない場合には（ステップＳ２０１、Ｎｏ）、図４に示す処理手順を終了する。
【００５０】
一方、コントローラ１０は、判定の結果、近距離無線接続の切断が検知された場合には（ステップＳ２０１、Ｙｅｓ）、ステップＳ２０２として、携帯電話１Ｂとの近距離無線接続が切断された旨をユーザに報知する。続いて、コントローラ１０は、ステップＳ２０３として、近距離無線接続が切断された旨のメールを、基地局１００および公衆回線ネットワーク２００を通じて携帯電話１Ｂに送信する。
【００５１】
続いて、コントローラ１０は、ステップＳ２０４として、近距離無線通信可能エリア内の探索を行い、探索により携帯電話１Ｂを検出できたかどうかを判定する。コントローラ１０は、判定の結果、近距離無線通信可能エリア内に携帯電話１Ｂを検出できなかった場合には（ステップＳ２０４、Ｎｏ）、ステップＳ２０５として、探索をタイムアウトするかどうかを判定する。
【００５２】
コントローラ１０は、判定の結果、探索をタイムアウトする場合には（ステップＳ２０５、Ｙｅｓ）、図４に示す処理手順を終了する。これとは反対に、コントローラ１０は、判定の結果、探索をタイムアウトしない場合には（ステップＳ２０５、Ｎｏ）、ステップＳ２０４に戻り、近距離無線通信可能エリア内の探索を続ける。
【００５３】
ステップＳ２０４において、コントローラ１０は、判定の結果、近距離無線通信可能エリア内に携帯電話１Ｂを検出できた場合には（ステップＳ２０４、Ｙｅｓ）、ステップＳ２０６として、携帯電話１Ｂとの近距離無線接続を復旧する。コントローラ１０は、携帯電話１Ｂとの近距離無線接続を復旧する場合、携帯電話１Ｂとの近距離無線接続（ペアリング）を確立するための所定のシーケンスを自動で実行し、近距離無線接続を復旧する。
【００５４】
続いて、コントローラ１０は、ステップＳ２０７として、携帯電話１Ｂとの近距離無線接続が復旧した旨をユーザに報知する。続いて、コントローラ１０は、ステップＳ２０８として、近距離無線接続が復旧した旨のメールを、基地局１００および公衆回線ネットワーク２００を通じて携帯電話１Ｂに送信し、図４に示す処理手順を終了する。
【００５５】
携帯電話１Ａは、近距離無線接続の切断が検知された後、近距離無線通信が可能な状態に復帰した旨、言い換えれば、近距離無線接続が復旧した旨のメールのみを、携帯電話１Ｂに送信するようにしてもよい。すなわち、通信相手は、近距離無線接続の切断を既に認識している場合があるので、近距離無線接続の切断についてはメールを送信せず、近距離無線接続が復旧した旨だけをメールとして送信する趣旨である。図５は、実施形態２に係る携帯電話による処理手順の他の例を示す図である。図５に示す処理手順は、図４に示すステップＳ２０３に対応する手順を含まない点が、図４に示す処理手順とは異なる。
【００５６】
図５に示すように、コントローラ１０は、ステップＳ３０１として、近距離無線接続の切断を検知したかどうかを判定する。コントローラ１０は、判定の結果、近距離無線接続の切断が検知されていない場合には（ステップＳ３０１、Ｎｏ）、図５に示す処理手順を終了する。
【００５７】
一方、コントローラ１０は、判定の結果、近距離無線接続の切断が検知された場合には（ステップＳ３０１、Ｙｅｓ）、ステップＳ３０２として、携帯電話１Ｂとの近距離無線接続が切断された旨をユーザに通知する。続いて、コントローラ１０は、ステップＳ３０３として、近距離無線通信可能エリア内の探索を行い、探索により携帯電話１Ｂを検出できたかどうかを判定する。
【００５８】
コントローラ１０は、判定の結果、近距離無線通信可能エリア内に携帯電話１Ｂを検出できなかった場合には（ステップＳ３０３、Ｎｏ）、ステップＳ３０４として、探索をタイムアウトするかどうかを判定する。
【００５９】
コントローラ１０は、判定の結果、探索をタイムアウトする場合には（ステップＳ３０４、Ｙｅｓ）、図５に示す処理手順を終了する。これとは反対に、コントローラ１０は、判定の結果、探索をタイムアウトしない場合には（ステップＳ３０４、Ｎｏ）、ステップＳ３０３に戻り、近距離無線通信可能エリア内の探索を続ける。
【００６０】
ステップＳ３０３において、コントローラ１０は、判定の結果、近距離無線通信可能エリア内に携帯電話１Ｂを検出できた場合には（ステップＳ３０３、Ｙｅｓ）、ステップＳ３０５として、携帯電話１Ｂとの近距離無線接続を復旧する。
【００６１】
続いて、コントローラ１０は、ステップＳ３０６として、携帯電話１Ｂとの近距離無線接続が復旧した旨をユーザに報知する。続いて、コントローラ１０は、ステップＳ３０７として、近距離無線通信が可能な状態に復帰した旨のメールを、基地局１００および公衆回線ネットワーク２００を通じて携帯電話１Ｂに送信し、図５に示す処理手順を終了する。
【００６２】
実施形態２では、携帯電話１Ａが、携帯電話１Ｂとの近距離無線通信が不能な状態から可能な状態に復帰した場合に、携帯電話１Ｂに対してメールを送信する。このため、実施形態２によれば、実施中の通信に関わる状況として、近距離無線接続が切断された旨だけではなく、近距離無線接続が復帰した旨を通信相手にいち早く知らせることができる。
【００６３】
実施形態２では、携帯電話１Ａが、近距離無線通信可能エリア内の探索を行って、携帯電話１Ｂを検出することにより、近距離無線接続を復旧する。このため、携帯電話１Ａは、携帯電話１Ｂが近距離無線通信可能エリア外から、近距離無線通信可能エリア内に戻った場合に、近距離無線接続を復旧できる。携帯電話１Ａは、携帯電話１Ｂが近距離無線通信エリア外へ移動することにより近距離無線接続が切断されたのではなく、例えば、電波障害などにより近距離無線接続が切断された場合であっても、近距離無線通信可能エリア内の探索を行い、近距離無線接続を復旧するという同様の手順により、近距離無線接続を復旧できる。
【００６４】
上記の実施形態１及び実施形態２において、携帯電話１Ａは、所定時間内に近距離無線接続の切断が複数回検知された場合、携帯電話１Ｂに対して、メールを送信しないようにしてもよい。所定時間内に近距離無線接続の切断が複数回検知される場合、携帯電話１Ａと携帯電話１Ｂとの近距離無線接続が不安定な状態であることが予想される。このため、近距離無線接続の切断が検知されるたびに、携帯電話１Ａから携帯電話１Ｂに対してメールを送信すると、携帯電話１Ａから携帯電話１Ｂに対して送信されるメール数が膨大となってしまう。そこで、所定時間内に近距離無線接続の切断が複数回検知された場合には、携帯電話１Ｂに対してメールを送信しないようにすることにより、携帯電話１Ｂのユーザに煩わしさを与えないようにする趣旨である。
【００６５】
（実施形態３）
実施形態１において、携帯電話１Ａは、携帯電話１Ｂとの近距離無線接続が切断されたまま一定時間経過した場合に、携帯電話１Ｂに対して、近距離無線接続が切断された旨のメールを送信するようにしてもよい。すなわち、例えば、近距離無線接続の切断が繰り返される場合に、その都度、携帯電話１Ａから携帯電話１Ｂに対してメールが送信されるのを避ける趣旨である。
【００６６】
制御プログラム９Ａは、近距離無線接続の切断が検知された後、切断されたままの状態で一定時間を経過した場合に、携帯電話１Ｂに対して、近距離無線接続が切断された旨のメールを送信するための機能を提供する。
【００６７】
コントローラ１０は、制御プログラム９Ａを実行することにより、近距離無線接続の切断が検知された後、切断されたままの状態で一定時間を経過した場合に、携帯電話１Ｂに対して、近距離無線接続が切断された旨のメールを送信する処理を実現する。
【００６８】
図６は、実施形態３に係る携帯電話による処理手順の一例を示す図である。図６に示す処理手順は、コントローラ１０が、ストレージ９に記憶されている制御プログラム９Ａなどを実行することによって実現される。図６に示す処理手順は、携帯電話１Ａが近距離無線通信を開始した後、繰り返し実行される。図６に示す処理手順は、携帯電話１Ａと携帯電話１Ｂとの間で近距離無線通信が行われているときの処理手順の一例を示している。
【００６９】
図６に示すように、コントローラ１０は、ステップＳ４０１として、携帯電話１Ｂとの近距離無線接続の切断を検知すると、切断されたまま一定時間が経過したかどうかを判定する。コントローラ１０は、判定の結果、近距離無線接続が切断されたまま一定時間が経過していない場合には（ステップＳ４０１、Ｎｏ）、図６に示す処理手順を終了する。
【００７０】
一方、コントローラ１０は、判定の結果、近距離無線接続が切断されたまま一定時間が経過した場合には（ステップＳ４０１、Ｙｅｓ）、ステップＳ４０２として、携帯電話１Ｂとの近距離無線接続が切断された旨をユーザに報知する。続いて、コントローラ１０は、ステップＳ４０３として、近距離無線接続が切断された旨のメールを、基地局１００および公衆回線ネットワーク２００を通じて携帯電話１Ｂに送信し、図６に示す処理手順を終了する。
【００７１】
（実施形態４）
上記の実施形態において、近距離無線通信を行う携帯電話１Ａと携帯電話１Ｂとの間で、近距離無線接続が切断された場合に、メールを送信するための利用する情報を交換するようにしてもよい。
【００７２】
図７は、実施形態４に係る処理手順の一例を示す図である。携帯電話１Ａと携帯電話１Ｂとは同様の機能構成を有するものとする。
【００７３】
図７に示すように、携帯電話１Ａと携帯電話２Ｂとの間でペアリング処理が実行される（ステップＳ５０１）。例えば、携帯電話１Ａがペアリング処理を開始し、ペアリング処理が完了したら携帯電話１Ａと１Ｂとのデータ送受信が可能になる。つまり、携帯電話１Ａは待ち受け状態となる。ペアリング処理の一例について説明すると、携帯電話１Ａは、携帯電話１Ｂに対してペアリング要求を送信する。一方、携帯電話１Ｂは、携帯電話１Ａからペアリング要求を受信する。続いて、携帯電話１Ａに対して接続完了通知を送信する。他方、携帯電話１Ａは、携帯電話１Ｂから接続完了通知を受信する。以上でペアリング処理が完了する。
【００７４】
ペアリング処理の完了後、携帯電話１Ｂは、接続完了通知の送信後、携帯電話１Ａに対して、自己のメールアドレス及び電話番号を送信する（ステップＳ５０２）。
【００７５】
他方、携帯電話１Ａは、携帯電話１Ｂからメールアドレス及び電話番号を受信する（ステップＳ５０３）。続いて、携帯電話１Ａは、携帯電話１Ｂに対して、自己のメールアドレス及び電話番号を送信する（ステップＳ５０４）。続いて、携帯電話１Ａは、近距離無線接続の切断時の連絡先として、携帯電話１Ｂのメールアドレス及び電話番号を登録する（ステップＳ５０５）。
【００７６】
一方、携帯電話１Ｂは、携帯電話１Ａからメールアドレス及び電話番号を受信する（ステップＳ５０６）。続いて、携帯電話１Ｂは、近距離無線接続の切断時の連絡先として、携帯電話１Ａのメールアドレス及び電話番号を登録する（ステップＳ５０７）。
【００７７】
（その他の実施形態）
上記の実施形態において、携帯電話１Ｂは、近距離無線接続が切断された旨のメールを受信した場合に、メール受信および着信などに応じた通知とは異なる態様で、ユーザに対する報知を行うようにしてもよい。携帯電話１Ａと携帯電話１Ｂとの間で、近距離無線接続が切断された旨のメールであることを識別するために、近距離無線接続が切断された旨のメールであることを識別することが可能なパラメータなどを、メールのヘッダなどに挿入しておいてもよい。
【００７８】
上記の実施形態では、携帯電話１Ａが、携帯電話１Ｂとの間で実行している近距離無線通信が不能となった場合に、基地局１００を介した通信によりメールを送信する例を説明したが、これには限定されない。例えば、携帯電話１Ａが、携帯電話１Ｂとの間で実行しているＢｌｕｅｔｏｏｔｈ（登録商標）による近距離無線通信が不能となった場合に、ＩＥＥＥ８０２．１１による近距離無線通信によりメールを送信してもよい。あるいは、例えば、携帯電話１Ａが、携帯電話１Ｂとの間で実行しているＬＴＥ（Ｌｏｎｇ  Ｔｅｒｍ  Ｅｖｏｌｕｔｉｏｎ）を用いた通信が不能となった場合に、ＰＨＳ（Ｐｅｒｓｏｎａｌ  Ｈａｎｄｙ−ｐｈｏｎｅ  Ｓｙｓｔｅｍ）を用いた通信によりメールを送信してもよい。
【００７９】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【００８０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００８１】
１Ａ，１Ｂ  携帯電話
２  ディスプレイ
３  ボタン
４  照度センサ
５  近接センサ
６  通信ユニット
７  レシーバ
８  マイク
９  ストレージ
９Ａ  制御プログラム
９Ｂ  通話アプリケーション
９Ｃ  メールアプリケーション
９Ｄ  音楽再生アプリケーション
９Ｅ  動画再生アプリケーション
９Ｚ  設定データ
１０  コントローラ
１１  スピーカ
１２  カメラ
１５  姿勢検出ユニット
１８  バイブレータ
１００  基地局
【図１】
2014072756.tif 000003
【図２】
2014072756.tif 000004
【図３】
2014072756.tif 000005
【図４】
2014072756.tif 000006
【図５】
2014072756.tif 000007
【図６】
2014072756.tif 000008
【図７】
2014072756.tif 000009